(57)【特許請求の範囲】
【請求項１】
複数の導電バーの中の必要な導電バーを選択して接続する選択端子を備えるプラグイン端子において、前記選択端子は、ある導電バーの接続位置から他の導電バーの接続位置へ、ガイド部に沿って摺動して移動させるものであり、前記ガイド部は導電部材にスリット状に設けられており、前記ガイド部を貫通するガイド突起が前記選択端子に設けられており、前記選択端子は、前記ガイド突起を前記ガイド部に貫通させた状態で、摺動できるような適切な圧力で保持されているものであることを特徴とするプラグイン端子。
【請求項２】
前記選択端子は、ばね部材によって前記導電部材に摺動可能に接続されていることを特徴とする請求項１記載のプラグイン端子。
【請求項３】
前記ガイド部は、前記選択端子を接続する導電バーの位置を選択した状態で前記選択端子の位置決めをする、位置決め部を設けたことを特徴とする請求項１または２記載のプラグイン端子。
【発明の詳細な説明】
【０００１】
【発明の属する技術分野】
本発明は、回路遮断器と分電盤などの導電バーとの接続に用いられるプラグイン端子に関する。
【０００２】
【従来の技術】
図４は従来のプラグイン端子を回路遮断器本体に取り付けた状態を示す破断側面図であり、図４（ａ）は左側面図、図４（ｂ）は右側面図である。図５は従来の他のプラグイン端子を回路遮断器本体に取り付けた状態を示す破断側面図であり、図５（ａ）は左側面図、図５（ｂ）は右側面図である。
【０００３】
図４に示す従来のプラグイン端子は、絶縁性合成樹脂製の本体１と、絶縁性合成樹脂製のカバー２と、選択端子３と、接圧ばね４とを備える。選択端子３は、誘い部３ａと、バー接続部３ｂ，３ｃと、機器接続部３ｄとを備え、薄い銅板などで構成される。機器接続部３ｄは、回路遮断器本体Ａの電源端子Ａ1 の接続部位または電源端子Ａ2 の接続部位に、接続される。バー接続部３ｂ，３ｃは、接圧ばね４によって押圧力を受けることによって、例えば導電バーＢ2 と適切な接圧で接続されるようになっている。
【０００４】
ところで、このようなプラグイン端子にあっては、回路遮断器本体Ａの第１の電源端子Ａ1 から第１の導電バーＢ1 に接続される場合と第２の導電バーＢ2 に接続される場合との、２種類のものを構成しなければならないとともに、回路遮断器本体Ａの第２の電源端子Ａ2 から第２の導電バーＢ2 に接続される場合と第３の導電バーＢ3 に接続される場合との、２種類のものを構成しなければならない。そして、第１の電源端子Ａ1 と第２の電源端子Ａ2 とは、回路遮断器本体Ａの底面からの端子高さがそれぞれ異なるので、プラグイン端子の種類は合計で４種類になり、品種の削減ができなかった。また、選択端子３に対する接圧ばね４の取り付け方向が２方向となり異なるため、組み立て性の悪いものであった。
【０００５】
また、図５に示す従来のプラグイン端子は、選択端子３と接続板３０とを編組線３１にて接続した例であり、このプラグイン端子にあっては、編組線３１を少し長めにしておくことで部品品種の削減が可能であるものの、本体１に組み込む場合、組み立て性の悪いものであった。
【０００６】
【発明が解決しようとする課題】
すなわち、従来のプラグイン端子にあっては、接続される導電バーに対応させた位置に予め設けられるため、接続される導電バーの組み合わせに応じた種類を揃える必要があり、プラグイン端子の種類が数種にも及ぶので部品間違いなどが発生し易いとともに、組み立て性の悪いものであるという問題点があった。
【０００７】
本発明は上記の問題点を解決するためになされたもので、その目的とするところは、部品品種の削減が可能で且つ組み立て性の良い、優れるプラグイン端子を提供することにある。
【０００８】
【課題を解決するための手段】
本発明は上記の問題点を解決するため、請求項１記載の発明にあっては、複数の導電バーの中の必要な導電バーを選択して接続する選択端子を備えるプラグイン端子において、前記選択端子は、ある導電バーの接続位置から他の導電バーの接続位置へ、ガイド部に沿って摺動して移動させるものであり、前記ガイド部は導電部材にスリット状に設けられており、前記ガイド部を貫通するガイド突起が前記選択端子に設けられており、前記選択端子は、前記ガイド突起を前記ガイド部に貫通させた状態で、摺動できるような適切な圧力で保持されているものであることを特徴とする。
【０００９】
請求項２記載の発明にあっては、前記選択端子は、ばね部材によって前記導電部材に摺動可能に接続されていることを特徴とする。
【００１０】
請求項３記載の発明にあっては、前記ガイド部は、前記選択端子を接続する導電バーの位置を選択した状態で前記選択端子の位置決めをする、位置決め部を設けたことを特徴とする。
【００１１】
【発明の実施の形態】
以下、本発明に係るプラグイン端子の一実施の形態を図１乃至図３に基づいて詳細に説明する。図１はプラグイン端子を回路遮断器本体に取り付けた状態を示す破断側面図であり、図１（ａ）は選択端子を第２の導電バーの接続位置に合わせた場合を示し、図１（ｂ）は選択端子を第３の導電バーの接続位置に合わせた場合を示している。図２はプラグイン端子を第１の導電バーと第２の導電バーとに接続した状態を示す説明図であり、図２（ａ）は正面図、図２（ｂ）は斜視図である。図３はプラグイン端子を第１の導電バーと第３の導電バーとに接続した状態を示す説明図であり、図３（ａ）は正面図、図３（ｂ）は斜視図である。
【００１２】
このプラグイン端子は、絶縁性合成樹脂製の本体１と、絶縁性合成樹脂製のカバー２と、選択端子３と、ばね部材５と、導電部材６と、絶縁部材７とを備える。選択端子３は良導電体で且つばね性を有するリン青銅板などを板金加工した一体形状の側面視略嘴形状のものであり、誘い部３ａと、バー接続部３ｂ，３ｃと、繋ぎ部３０とを備える。
【００１３】
バー接続部３ｂ，３ｃは基端部よりばね性を有して略コ字形に形成され、適切な圧力によって導電バーＢ1,Ｂ2,Ｂ3 のいずれか一つに接続するようにされている。繋ぎ部３０の腹部からはガイド突起３０ａがダボ出し加工によって突出形成されており、ガイド突起３０ａには導電部材６を挟み込むようにばね部材５が加締められる。
【００１４】
ばね部材５は、皿ばね形状のもので、選択端子３が導電部材６のスリット状のガイド部６１を摺動できるような適切な圧力で、選択端子３の繋ぎ部３０と導電部材６とを接触保持する。導電部材６は、銅板を板金加工したもので、接続部６０と、スリット状のガイド部６１と、ガイド部６１を切り欠いて形成した第１の位置決め部６１ａと第２の位置決め部６１ｂと第３の位置決め部６１ｃとを含んで構成される。
【００１５】
絶縁部材７は、第１の導電バーＢ3 に接続される位置に配設した選択端子３と第２の導電バーＢ2 との間、第２の導電バーＢ2 に接続される位置に配設した選択端子３と第１の導電バーＢ1 との間、第２の導電バーＢ2 に接続される位置に配設した選択端子３と第３の導電バーＢ3 との間、第３の導電バーＢ3 に接続される位置に配設した選択端子３と第２の導電バーＢ2 との間の絶縁を確保するために、カバー２内に保持配設される。
【００１６】
上述のように構成されるプラグイン端子にあっては、例えば、第２の導電バーＢ2 の接続位置に配設された選択端子３は、次のような手順にて、第３の導電バーＢ3 の接続位置に移動することができる。すなわち、第２の位置決め部６１ｂに位置する選択端子３のガイド突起３０ａを、第２の位置決め部６１ｂの位置から解除する方向、つまりガイド部６１へ移動する方向へ、選択端子３を手などで摘んで引き出す。そして、ガイド部６１の下端まで選択端子３を摺動させ、選択端子３のガイド突起３０ａを第３の位置決め部６１ｃに押し込む。すると、選択端子３は、第２の導電バーＢ2 の接続位置から第３の導電バーＢ3 の接続位置に移動したことになる。
【００１７】
プラグイン端子は本体１に差し込まれ、カバー２が被せられ、絶縁部材７が挿入される。そして、プラグイン端子は、回路遮断器本体Ａの電源端子に接続され、分電盤内に配置される各導電バーＢ1,Ｂ2,Ｂ3 にプラグイン接続される。
【００１８】
この接続時に、選択端子３と例えば導電バーＢ1 との間に位置ずれが生じていると、選択端子３に過大な応力が負担されることになる。そこで、この位置ずれを緩和するために、各位置決め部６１ａ，６１ｂ，６１ｃには、選択端子３の若干の摺動が行なえるような余裕を設けることが好ましい。また、選択端子３はガイド突起３０ａを軸としての回動も可能で、導電バーの若干の傾きに対しても対応できるようにされている。
【００１９】
従って、上述のように構成されるプラグイン端子の選択端子３にあっては、接続する導電バーＢ1,Ｂ2,Ｂ3 の位置に合わせて移動することができるので、接続する導電バーが多くあってもプラグイン端子の種類は１種類で対応できる。また、選択端子３と導電部材６とが一体のユニットにできるので、本体１への組み立て性を良くすることが可能である。
【００２０】
なお、上述の実施の形態のプラグイン端子にあっては、回路遮断器に後付けされる接続変換アダプターのような構成のものにて例示したが、本発明のプラグイン端子は回路遮断器に初めから内蔵されるものについても応用できることは言うまでもない。
【００２１】
請求項１記載の発明によれば、接続する導電バーが多くあっても、選択端子は導電バーの位置に合わせて移動させることができるから、部品品種の削減が可能で、組み立て性の良い、優れるプラグイン端子を提供できるという効果を奏する。
【００２２】
請求項２記載の発明によれば、請求項１記載の発明の効果に加えて更に、組み立て性の良い、優れるプラグイン端子を提供できるという効果を奏する。
【００２３】
請求項３記載の発明によれば、請求項１または２記載の発明の効果に加えて更に、選択端子の摺動後の位置決めを簡単且つ正確に行なうことのできる、優れるプラグイン端子を提供できるという効果を奏する。
【図面の簡単な説明】
【図１】本発明に係る一実施の形態のプラグイン端子を回路遮断器本体に取り付けた状態を示す破断側面図である。
【図２】上記プラグイン端子を第１の導電バーと第２の導電バーとに接続した状態を示す説明図である。
【図３】上記プラグイン端子を第１の導電バーと第３の導電バーとに接続した状態を示す説明図である。
【図４】従来のプラグイン端子を回路遮断器本体に取り付けた状態を示す破断側面図である。
【図５】従来の他のプラグイン端子を回路遮断器本体に取り付けた状態を示す破断側面図である。
【符号の説明】
３      選択端子
３０ａ  ガイド突起
５      ばね部材
６      導電部材
６１    ガイド部
６１ａ  位置決め部
６１ｂ  位置決め部
６１ｃ  位置決め部
Ｂ1     導電バー
Ｂ2     導電バー
Ｂ3     導電バー
【図１】
0004147665.tif 000002
【図２】
0004147665.tif 000003
【図３】
0004147665.tif 000004
【図４】
0004147665.tif 000005
【図５】
0004147665.tif 000006